(57)【要約】【課題】既存の縁石をそのまま使用して、縁石への車両の乗り上げを効果的に防止することができる縁石カバーを提供する。【解決手段】車道１と、歩道２との境界線に沿って敷かれる縁石３に被せられる縁石カバーにおいて、縁石３の車道１側の前面３ａをカバーする前面部４ａと、縁石３の上面３ｂをカバーする上面部４ｂとを有する。【選択図】図２
2009209556.tif 000002
【特許請求の範囲】
【請求項１】
車道と、歩道あるいは安全地帯等との境界線に沿って敷かれる縁石に被せられる縁石カバーにおいて、
前記縁石の車道側の前面をカバーする前面部と、前記縁石の上面をカバーする上面部とを有することを特徴とする縁石カバー。
【請求項２】
金属板または樹脂板から構成されることを特徴とする、請求項１に記載の縁石カバー。
【請求項３】
前記縁石に接着剤またはアンカーにより固定されることを特徴とする、請求項１または２に記載の縁石カバー。
【請求項４】
前記上面部には、下方に折れ曲がり、内面が前記縁石の背面に接するフランジが形成されていることを特徴とする、請求項１から３の何れか１つに記載の縁石カバー。
【請求項５】
前記上面部は、下方に折れ曲がり、下端が前記縁石の前記上面に接するフランジと、前記上面の長手方向に形成された溝部とを有し、前記前面部は、前記フランジの高さ分だけ高く形成されていることを特徴とする、請求項１から３の何れか１つに記載の縁石カバー。
【請求項６】
前記溝部には、視線誘導用塗装または視線誘導部材が設けられていることを特徴とする、請求項５に記載の縁石カバー。
【発明の詳細な説明】
【技術分野】
【０００１】
この発明は、縁石カバー、特に、既存の縁石をそのまま使用して、縁石への車両の乗り上げを効果的に防止することができる縁石カバーに関するものである。
【背景技術】
【０００２】
通常、車道と、歩道あるいは安全地帯等との境界線には、これに沿って縁石が敷設されている。
【０００３】
図６に示すように、例えば、車道１と歩道２との境界線に敷設される縁石３は、車道側の前面３ａが傾斜したプレキャストコンクリートブロックからなっている。縁石３の主目的は、走行中の車両が車道１から歩道２に進入して、歩道２を歩いている歩行者をはねたり、歩道２沿いの建物等に衝突するのを未然に防止ことにある。従って、縁石３の車道１から上面３ｂまで高さ（Ｈ）は、車両が容易に乗り上げず、しかも、車両の誘導効果がある２００ｍｍから２５０ｍｍ程度に設定され、道路事情に応じて、最適高さのものが適宜、選択して使用されている。
【０００４】
しかし、車両が縁石３を乗り越え、歩道２に進入して歩行者をはねる等の事故が後を絶たず、その対策が急がれている。車両が縁石３を乗り越えるのを防止するためには、縁石３の高さ（Ｈ）を高くすれば良いが、むやみに高くすると、歩行者の歩道２から車道１、車道１から歩道２への移動がしづらくなるばかりか、美観上も好ましくない。
【０００５】
また、車両が縁石３を乗り越える状況を考えた場合、車両が縁石３の正面から乗り越えるケースは余りなく、斜め前方から縁石３を乗り越えるケースが多い。
【０００６】
【特許文献１】特公昭５７−８９２２号公報
【発明の開示】
【発明が解決しようとする課題】
【０００７】
そこで、本願発明者は、従来と同じ高さのもので、車両が斜め前方から縁石３に接触した場合、どのようにすれば、車両が縁石３を乗り越え、歩道２に進入することを効果的に防止することができるかについて鋭意、研究を重ねた。この結果、以下のような知見を得た。
【０００８】
従来のプレキャストコンクリートブロックからなる縁石３は、コンクリートであるがゆえに表面がざらついており摩擦抵抗が大きい。このために、車両が斜め前方から縁石３に進入した場合、本来ならタイヤが縁石３を滑って縁石３に沿って誘導され、車両が縁石３を乗り上げるのを防止できるはずが、縁石３の表面の摩擦抵抗が大きいことから、タイヤが滑りにくく、この結果、車両が縁石３を乗り越えてしまう。
【０００９】
従って、縁石３の表面の摩擦抵抗を小さくして、タイヤを滑りやすくすれば、車両が斜め前方から縁石３に進入した場合に、車両が縁石３を乗り越えることを大幅に軽減することができる。
【００１０】
縁石３の表面の摩擦抵抗を小さくするには、縁石３自体を摩擦抵抗の小さい物質で作れば良いが、新設の場合はともかく、既設の縁石３をこのような摩擦抵抗の小さいものに敷設し直すには莫大な費用と時間がかかる。
【００１１】
そこで、既設の縁石３を、コンクリートより遥かに摩擦抵抗の小さい鋼板等の金属板で覆えば、縁石３の表面の摩擦抵抗を減少させることができるので、既設の縁石３をそのまま使用して、車両が縁石３を乗り越えることを効果的に防止することができる。
【００１２】
なお、特公昭５７−８９２２号公報には、鋼板製の縁石が開示されている。図７および図８に示すように、この従来の金属製縁石８は、車道１と歩道２との境界線に従来のコンクリート製縁石に代えて敷設するものである。この従来の金属製縁石８は、車道１と歩道２との境界線に形成した側溝９部分を覆うように敷設され、開口８ａから雨水を側溝９に排水することができるようになっている。
【００１３】
この金属製縁石８によれば、縁石と側溝とが一体的に形成された従来のコンクリートブロックの場合と比べて、側溝９が独立しているので、道路幅員の有効利用が図れる等といった利点がある。
【００１４】
しかし、既設の縁石をそのまま使用するものではないので、費用が嵩むばかりか、途中を補強板１０により補強するとはいえ、大部分が中空となるので、縁石としての強度に劣り、タイヤの衝突により変形する可能性が大きいものと思われる。
【００１５】
従って、この発明の目的は、既存の縁石をそのまま使用して、車両の歩道への乗り上げを効果的に防止することができ、しかも、タイヤの衝突により変形しにくく、かつ安価な縁石カバーを提供することにある。
【課題を解決するための手段】
【００１６】
この発明は、上記目的を達成するためになされたものであり、下記を特徴とするものである。
【００１７】
請求項１に記載の発明は、車道と、歩道あるいは安全地帯等との境界線に沿って敷かれる縁石に被せられる縁石カバーにおいて、前記縁石の車道側の前面をカバーする前面部と、前記縁石の上面をカバーする上面部とを有することに特徴を有するものである。
【００１８】
請求項２に記載の発明は、請求項１に記載の発明において、金属板または樹脂板から構成されることに特徴を有するものである。
【００１９】
請求項３に記載の発明は、請求項１または２に記載の発明において、前記縁石に接着剤またはアンカーにより固定されることに特徴を有するものである。
【００２０】
請求項４に記載の発明は、請求項１から３の何れか１つに記載の発明において、前記上面部には、下方に折れ曲がり、内面が前記縁石の背面に接するフランジが形成されていることに特徴を有するものである。
【００２１】
請求項５に記載の発明は、請求項１から３の何れか１つに記載の発明において、前記上面部は、下方に折れ曲がり、下端が前記縁石の前記上面に接するフランジと、前記上面の長手方向に形成された溝部とを有し、前記前面部は、前記フランジの高さ分だけ高く形成されていることに特徴を有するものである。
【００２２】
請求項６に記載の発明は、請求項５に記載の発明において、前記溝部には、視線誘導用塗装または視線誘導部材が設けられていることに特徴を有するものである。
【発明を実施するための最良の形態】
【００２３】
次に、この発明の縁石カバーの一実施形態を、図面を参照しながら説明する。
【００２４】
図１（ａ）から（ｅ）は、この発明の縁石カバーを示す図であり、（ａ）は、正面図、（ｂ）は、背面図、（ｃ）は、左側面図、（ｄ）は、平面図、（ｅ）は、底面図であり、図２は、この発明の縁石カバーを縁石に被せた状態を示す斜視図である。
【００２５】
図１および図２に示すように、この発明の縁石カバー４は、縁石３の車道１側の前面３ａをカバーする前面部４ａと、縁石３の上面３ｂをカバーする上面部４ｂとを有している。
【００２６】
縁石カバー４は、亜鉛メッキ鋼板やステンレス鋼板等からなり、接着剤あるいはアンカーによって、プレキャストコンクリートブロックからなる既設の縁石３の表面に固定される。コンクリートブロックの摩擦係数は、乾燥時において０．７から０．８、湿潤時において０．５から０．７であるのに対して、鋼板の摩擦係数は、乾燥時において０．４、湿潤時において０．２であり、鋼板は、コンクリートに比べて大幅に滑りやすい。
【００２７】
従って、図２に示すように、この発明の縁石カバー４を縁石３に被せれば、縁石３の摩擦抵抗が小さくなり、滑りやすくなるので、車両が斜め前方から縁石３に接触した場合に、車両が縁石３を乗り越え、歩道２に進入することを大幅に軽減できる。
【００２８】
縁石カバー４は、車両が乗り上げやすい車道１のカーブ箇所等の縁石３に連続して設置される。長手方向の連結は継ぎ目に段差が生じないように、目地材で塞ぐか、鞘構造にしても良い。縁石カバー４と縁石３とには隙間が生じないので、タイヤの衝突により縁石カバー１が変形することはない。
【００２９】
なお、図３に示すように、歩道２が若干、低い場合には、縁石３の上面部４ｂに、下方に折れ曲がり、内面が縁石３の背面に接するフランジ６ａを形成すると良い。このように、フランジ６ａを形成することにより、縁石カバー施工時の位置決めがしやすくなると共に、より強固に縁石３に固定できる。
【００３０】
以上のように、この発明の縁石カバー４によれば、既設の縁石３に被せるのみで、縁石３の摩擦抵抗を大幅に小さくすることができるので、車両が斜め前方から縁石３に接触した場合に、車両が縁石３を乗り越え、歩道２に進入することを大幅に軽減できる。しかも、車両は、確実に縁石３に沿って誘導される。
【００３１】
以上の例は、縁石３の高さが比較的高い場合であるが、縁石３の高さが低い場合には、いくら縁石３を縁石カバー４により覆っても、車両が縁石３を乗り越えてしまう恐れがある。従って、このような場合には、縁石３の高さを嵩上げする必要がある。
【００３２】
この場合には、図４（ａ）から（ｅ）および図５に示すような、他の縁石カバー５を用いる。
【００３３】
図４（ａ）から（ｅ）は、この発明のさらに他の縁石カバーを示す図であり、（ａ）は、正面図、（ｂ）は、背面図、（ｃ）は、左側面図、（ｄ）は、平面図、（ｅ）は、底面図であり、図５は、この発明のさらに他の縁石カバーを縁石に被せた状態を示す斜視図である。
【００３４】
図４および図５に示すように、この発明の他の縁石カバー５は、縁石３の車道１側の前面３ａをカバーする前面部５ａと、縁石３の上面３ｂをカバーする上面部５ｂとを有し、上面部５ｂは、縁石３の上面３ｂ側に直角に折れ曲がったフランジ６ｂと、上面部５ｂの長手方向に形成された溝部７とを有し、前面部５ａは、フランジ６ｂの高さ分だけ高く形成されている。これにより、既設の縁石３の高さをフランジ６ｂの分だけ嵩上げすることができる。
【００３５】
この縁石カバー５も上記縁石カバー４と同様に、亜鉛メッキ鋼板やステンレス鋼板等からなり、接着剤やアンカー等によって、プレキャストコンクリートブロックからなる既設の縁石３の表面に固定される。
【００３６】
この縁石カバー５によれば、上記縁石カバー４と同様に、縁石３の摩擦抵抗を小さくすることができるので、縁石３の高さが高くなったことと相俟って、車両が斜め前方から縁石３に接触した場合に、車両が縁石３を乗り越え、歩道２に進入することを大幅に軽減することができる。
【００３７】
縁石３の高さを嵩上げしたことにより、縁石カバー５の上面部５ｂと縁石３の上面３ｂとの間に隙間が形成されるが、上面部５ｂに溝７が形成され、これが補強の作用をするので、縁石カバー５の強度が低下する恐れはない。溝７の底部が縁石３の上面３ｂと接するようにすれば、上面部５ｂの上部からの荷重に抵抗することができる。さらに強度を高める場合には、縁石カバー５の上面部５ｂと縁石３の上面３ｂとの間の隙間をモルタル等で塞げば良い。さらに、溝７内に塗装を施したり、図示しないが、ＬＥＤ等の発光素子や反射板、反射テープ等からなる視線誘導部材を埋め込むことによって、視線誘導効果を持たせることもできる。
【００３８】
なお、以上は、縁石カバー４、５を何れも、亜鉛メッキ鋼板やステンレス鋼板で構成した場合であるが、強度と摩擦係数が満足されれば、鋼板以外に合成樹脂等、他の材質であっても良い。さらに、摩擦係数をより小さくするために、鋼板を樹脂で被覆するか、あるいは鋼板に塗装を施しても良い。
【図面の簡単な説明】
【００３９】
【図１】この発明の縁石カバーを示す図であり、（ａ）は、正面図、（ｂ）は、背面図、（ｃ）は、左側面図、（ｄ）は、平面図、（ｅ）は、底面図である。
【図２】この発明の縁石カバーを縁石に被せた状態を示す斜視図である。
【図３】この発明の他の縁石カバーを縁石に被せた状態を示す斜視図である。
【図４】この発明のさらに他の縁石カバーを示す図であり、（ａ）は、正面図、（ｂ）は、背面図、（ｃ）は、左側面図、（ｄ）は、平面図、（ｅ）は、底面図である。
【図５】この発明のさらに他の縁石カバーを縁石に被せた状態を示す斜視図である。
【図６】車道と歩道との境界線に敷設される縁石を示す斜視図である。
【図７】従来の金属製縁石を示す斜視図である。
【図８】従来の金属製縁石の設置状態を示す断面図である。
【符号の説明】
【００４０】
１：車道
２：歩道
３：縁石
３ａ：前面
３ｂ：上面
４：この発明の縁石カバー
４ａ：前面部
４ｂ：上面部
５：この発明の他の縁石カバー
５ａ：前面部
５ｂ：上面部
６ａ：フランジ
６ｂ：フランジ
７：溝部
８：従来の金属製縁石
９：側溝
１０：補強板
【図１】
2009209556.tif 000003
【図２】
2009209556.tif 000004
【図３】
2009209556.tif 000005
【図４】
2009209556.tif 000006
【図５】
2009209556.tif 000007
【図６】
2009209556.tif 000008
【図７】
2009209556.tif 000009
【図８】
2009209556.tif 000010